(57)【要約】【課題】感電等の危険な作業を伴うことなく、送電停止停解装置の開閉器の動作試験を容易に行う。【解決手段】送電停止停解装置の開閉器３を位置決めして着脱可能に固定保持し、開閉器装着面３６の周囲に電源供給端子４５ａ，４５ｂを形成した開閉器保持具４と、開閉器保持具４に着脱自在に装着されて開閉器３の動作試験を行う動作試験治具５とを備え、動作試験治具５は、開閉器３の電線接続端子に弾性接触する第１の接触子５５Ｓａ〜５５Ｌｃと、開閉器３の計器接続端子に弾性接触する第２の接触子５８Ｓａ〜５８Ｌｃと、電源供給端子４５ａ，４５ｂに弾性接触する電源接触子６０ａ，６０ｂとを少なくとも有し、前記第１の接触子の電力供給側が前記電源接触子に電気的に接続され、当該第１の接触子の負荷側が開閉動作表示素子を介して電気的に接続され、前記第２の接触子の電力供給側と負荷側とが個別に電気的に接続された構成を有する。【選択図】図１
2011013091.tif 000002
【特許請求の範囲】
【請求項１】
電力量計の端子部に挿通される計器接続端子と電線を接続する電線接続端子と前記計器接続端子及び前記電線接続端子間に介挿された開閉機構とを備えた開閉器を少なくとも有する送電停止停解装置の試験装置であって、
前記開閉器を位置決めして着脱可能に固定保持し、開閉器装着面の周囲に電源供給端子を形成した開閉器保持具と、該開閉器保持具に着脱自在に装着されて前記開閉器の動作試験を行う動作試験治具とを備え、
前記動作試験治具は、前記開閉器の電線接続端子に弾性接触する第１の接触子と、前記開閉器の計器接続端子に弾性接触する第２の接触子と、前記電源供給端子に弾性接触する電源接触子とを少なくとも有し、前記第１の接触子の電力供給側が前記電源接触子に電気的に接続され、当該第１の接触子の負荷側が開閉動作表示素子を介して電気的に接続され、前記第２の接触子の電力供給側と負荷側とが個別に電気的に接続された構成を有することを特徴とする送電停止停解装置の試験装置。
【請求項２】
前記開閉器は、前記電力量計に下面側から設置する単相２線式端子下面設置品及び単相３線式端子下面設置品の一方で構成され、前記動作試験治具は第１の接触子及び第２の接触子の設置位置が前記単相２線式端子下面設置品及び前記単相３線式端子下面設置品の一方に対応していることを特徴とする請求項１に記載の送電停止停解装置の試験装置。
【請求項３】
前記開閉器保持具は、前記単相２線式端子下面設置品の開閉器及び単相３線式端子下面設置品の開閉器の双方を位置決めして着脱自在に固定可能に構成され、前記動作試験治具は、第１の接触子及び第２の接触子の設置位置が前記単相２線式端子下面設置品に対応する第１の動作試験治具と前記単相３線式端子下面設置品に対応する第２の動作試験治具とで構成され、前記第１の動作試験治具及び第２の動作試験治具が前記開閉器保持具に装着可能とされていることを特徴とする請求項１に記載の送電停止停解装置の試験装置。
【請求項４】
電力量計の端子部に挿通される端子を有する計器接続線と電線を接続する電線接続端子と前記計器接続端子及び前記電線接続端子間に介挿された開閉機構とを備えた開閉器を少なくとも有する送電停止停解装置の試験装置であって、
前記開閉器を位置決めして着脱可能に固定保持し、電源供給端子を前記開閉器装着面の周囲に形成するとともに、前記計器接続線の端子が接続される端子部及び該端子部に電気的に接続され且つ前記開閉器装着面の周囲に形成した外部接続端子を有する開閉器保持具と、該開閉器保持具に着脱自在に装着されて前記開閉器の動作試験を行う動作試験治具とを備え、
前記動作試験治具は、前記開閉器の電線接続端子に弾性接触する第１の接触子と、前記電源供給端子に弾性接触する電源接触子と、前記外部接続端子に弾性接触する外部接触子とを少なくとも有し、前記第１の接触子が前記電源接触子に電気的に接続され、前記外部接続端子に開閉動作表示素子が接続されていることを特徴とする送電停止停解装置の試験装置。
【請求項５】
前記開閉器は、前記電力量計に正面側から設置する単相２線式端子正面設置品で構成されていることを特徴とする請求項４に記載の送電停止停解装置の試験装置。
【請求項６】
前記開閉器保持具は、前記単相２線式端子正面設置品の開閉器の他に、前記単相２線式端子下面設置品の開閉器及び前記単相３線式端子下面設置品の開閉器を位置決めして着脱自在に固定可能に構成され、当該開閉器保持具に前記動作試験治具の他に、前記単相２線式端子下面設置品に対応する第１の動作試験治具と前記単相３線式端子下面設置品に対応する第２の動作試験治具が装着可能とされていることを特徴とする請求項５に記載の送電停止停解装置の試験装置。
【発明の詳細な説明】
【技術分野】
【０００１】
本発明は、電力量計の端子部に挿通される計器接続端子と電線を接続する電線接続端子と前記計器接続端子及び前記電線接続端子間に介挿された開閉機構とを備えた開閉器を少なくとも有する送電停止停解装置の試験装置に関する。
【背景技術】
【０００２】
電力会社から一般家庭に電力を供給する場合、既設の電力量計の端子部分に接続可能な遠隔制御方式の送電停止停解装置を装着することが行われている。
この送電停止停解装置は、使用電力量の料金未払いによる電力の送電停止あるいは、送電停止後の料金払い込みによる停止解除作業の効率化を図るとともに、立ち入りに制限のある家庭（例えば、オートロックマンション等）に対する送電停止・停止解除業務の効率化に有用である。
【０００３】
この送電停止停解装置としては、例えば電力量計を介して送られる電力の供給を停止させたり、電力の供給停止を解除したりする開閉器及び無線にて送信された停止停解指令に基づいて開閉器の開閉制御を行う無線通信装置を設け、無線通信装置を、開閉器を電力量計に取付けたままで開閉器から分離できるように構成し、開閉器を電力量計に取付け、コネクタを介して無線通信装置を開閉器に接続するようにした構成が知られている（例えば、特許文献１参照）
このような構成を有する送電停止停解装置を現場で取付ける前には、事前に動作確認作業を行う必要がある。
【０００４】
具体的には、商用電源（ＡＣ１００Ｖ）と送電停止停解装置の開閉器の端子部を手作業によるねじ締めで接続し、電源印加状態で無線通信（携帯電話等）による開閉試験を実施している。
また、送電停止停解装置の使用状態を模擬するには、開閉器の電力量計接続用各端子の電源負荷を短絡接続する必要があり、このためにワニ口クリップ付コードを所定の部分に装着している。
【先行技術文献】
【特許文献】
【０００５】
【特許文献１】特開２００８−９２７２５号公報
【発明の概要】
【発明が解決しようとする課題】
【０００６】
しかしながら、従来は、送電停止停解装置を現地に設置する前の動作確認作業を人手に頼らざるを得ず、その際、商用電源を停止停解装置の開閉器端子部へ供給する必要があるため、コード等を用いて試験を実施しているが、電源充電部が露出する場合もあり、感電や異極間短絡等を発生させる危険性もあるという未解決の課題がある。
また、試験対象となる送電停止停解装置の設置個数も本格導入に伴い増加しており、従来のように商用電源と端子部の手作業によるネジ接続は時間を要するため、より一層の試験効率化が望まれている。
【０００７】
さらに、試験対象となる送電停止停解装置の種類は３種類あるため、試験実施対象が変わるたびにその都度、試験装置を交換する段取り時間が必要となるため機種変更時の試験効率化も課題となる。
そこで、本発明は、上記従来例の未解決の課題に着目してなされたものであり、感電等の危険な作業を伴うことなく、送電停止停解装置の開閉器の動作試験を容易に行うことができる送電停止停解装置の試験装置を提供することを目的としている。
【課題を解決するための手段】
【０００８】
上記目的を達成するために、本発明の一の形態に係る送電停止停解装置の試験装置は、電力量計の端子部に挿通される計器接続端子と電線を接続する電線接続端子と前記計器接続端子及び前記電線接続端子間に介挿された開閉機構とを備えた開閉器を少なくとも有する送電停止停解装置の試験装置であって、前記開閉器を位置決めして着脱可能に固定保持し、開閉器装着面の周囲に電源供給端子を形成した開閉器保持具と、該開閉器保持具に着脱自在に装着されて前記開閉器の動作試験を行う動作試験治具とを備え、前記動作試験治具は、前記開閉器の電線接続端子に弾性接触する第１の接触子と、前記開閉器の計器接続端子に弾性接触する第２の接触子と、前記電源供給端子に弾性接触する電源接触子とを少なくとも有し、前記第１の接触子の電力供給側が前記電源接触子に電気的に接続され、当該第１の接触子の負荷側が開閉動作表示素子を介して電気的に接続され、前記第２の接触子の電力供給側と負荷側とが個別に電気的に接続された構成を有することを特徴としている。
【０００９】
また、本発明の他の形態に係る送電停止停解装置の試験装置は、前記開閉器は、前記電力量計に下面側から設置する単相２線式端子下面設置品及び単相３線式端子下面設置品の一方で構成され、前記動作試験治具は第１の接触子及び第２の接触子の設置位置が前記単相２線式端子下面設置品及び前記単相３線式端子下面設置品の一方に対応していることを特徴としている。
【００１０】
また、本発明の他の形態に係る送電停止停解装置の試験装置は、前記開閉器保持具は、前記単相２線式端子下面設置品の開閉器及び単相３線式端子下面設置品の開閉器の双方を位置決めして着脱自在に固定可能に構成され、前記動作試験治具は、第１の接触子及び第２の接触子の設置位置が前記単相２線式端子下面設置品に対応する第１の動作試験治具と前記単相３線式端子下面設置品に対応する第２の動作試験治具とで構成され、前記第１の動作試験治具及び第２の動作試験治具が前記開閉器保持具に装着可能とされていることを特徴としている。
【００１１】
また、本発明の他の形態に係る送電停止停解装置の試験装置は、電力量計の端子部に挿通される端子を有する計器接続線と電線を接続する電線接続端子と前記計器接続端子及び前記電線接続端子間に介挿された開閉機構とを備えた開閉器を少なくとも有する送電停止停解装置の試験装置であって、前記開閉器を位置決めして着脱可能に固定保持し、電源供給端子を前記開閉器装着面の周囲に形成するとともに、前記計器接続線の端子が接続される端子部及び該端子部に電気的に接続され且つ前記開閉器装着面の周囲に形成した外部接続端子を有する開閉器保持具と、該開閉器保持具に着脱自在に装着されて前記開閉器の動作試験を行う動作試験治具とを備え、前記動作試験治具は、前記開閉器の電線接続端子に弾性接触する第１の接触子と、前記電源供給端子に弾性接触する電源接触子と、前記外部接続端子に弾性接触する外部接触子とを少なくとも有し、前記第１の接触子が前記電源接触子に電気的に接続され、前記外部接続端子に開閉動作表示素子が接続されていることを特徴としている。
【００１２】
また、本発明の他の形態に係る送電停止停解装置の試験装置は、前記開閉器は、前記電力量計に正面側から設置する単相２線式端子正面設置品で構成されていることを特徴としている。
また、本発明の他の形態に係る送電停止停解装置の試験装置は、前記開閉器保持具は、前記単相２線式端子正面設置品の開閉器の他に、前記単相２線式端子下面設置品の開閉器及び前記単相３線式端子下面設置品の開閉器を位置決めして着脱自在に固定可能に構成され、当該開閉器保持具に前記動作試験治具の他に、前記単相２線式端子下面設置品に対応する第１の動作試験治具と前記単相３線式端子下面設置品に対応する第２の動作試験治具が装着可能とされていることを特徴としている。
【発明の効果】
【００１３】
本発明によれば、電力量計に端子下面設置型の開閉器の動作試験を行う場合に、開閉器保持具に、開閉器を位置決めして固定保持した状態で、開閉器保持具に動作試験治具を装着する。これによって、動作試験治具に配設された第１の接触子を開閉器の電線接続端子に弾性接触させ、第２の接触子を開閉器の計器接続端子に弾性接触させ、電源接触子を開閉器保持具の電源供給端子に弾性接触させることにより、開閉器の開閉動作を、危険を伴うことなく容易確実に試験することができるという効果が得られる。
【００１４】
また、電力量計に端子正面設置型の開閉器の動作試験を行う場合に、開閉器保持具に、開閉器を位置決めして固定保持し、開閉器の計器接続線の端子を開閉器保持具の端子部に接続し、開閉器保持具に動作試験治具を装着する。これにより、動作試験治具に配設された第１の接触子を開閉器の電線接続端子に弾性接触させ、外部接触子を開閉器保持具の外部接触子に弾性接触させ、電源接触子を開閉器保持具の電源供給端子に弾性接触させることにより、開閉器の開閉動作を、危険を伴うことなく容易確実に短時間で試験することができるという効果が得られる。
【図面の簡単な説明】
【００１５】
【図１】本発明による送電停止停解装置の試験装置の一実施形態を示す斜視図である。
【図２】送電停止停解装置を示すブロック図である。
【図３】送電停止停解装置の単相３線式端子下面設置品である開閉器を示す図であって、（ａ）は斜視図、（ｂ）は正面図、（ｃ）は底面図である。
【図４】図１の開閉器保持具を示す斜視図である。
【図５】図１の動作試験治具を示す斜視図である。
【図６】図１の動作試験治具を示す図であって、（ａ）は平面図、（ｂ）は正面図、（ｃ）は左側面図、（ｄ）は底面図である。
【図７】開閉器保持具及び動作試験治具の電気的接続関係を示す配線図である。
【図８】送電停止停解装置の単相２線式端子下面設置品である開閉器を示す図であって、（ａ）は斜視図、（ｂ）は正面図、（ｃ）は底面図である。
【図９】単相２線式端子下面設置型の開閉器の動作試験治具を示す斜視図である。
【図１０】図９の動作試験治具を示す図であって、（ａ）は平面図、（ｂ）は正面図、（ｃ）は左側面図、（ｄ）は底面図である。
【図１１】単相２線式端子正面設置型の開閉器を示す図であって、（ａ）は斜視図、（ｂ）は正面図、（ｃ）は平面図、（ｄ）は底面図、（ｅ）は右側面図、（ｆ）は背面図である。
【図１２】単相２線式端子正面設置型の開閉器の動作試験治具を示す斜視図である。
【図１３】図１２の動作試験治具を示す図であって、（ａ）は平面図、（ｂ）は正面図、（ｃ）は左側面図、（ｄ）は底面図である。
【発明を実施するための形態】
【００１６】
以下、本発明の実施の形態を図面に基づいて説明する。
図１は、本発明による送電停止停解装置の試験装置の一実施形態を示す斜視図である。
図中、１は、送電停止停解装置２の開閉器３の動作試験を行う送電停止停解装置の試験装置であって、ベースとなる開閉器保持具４と、この開閉器保持具４に着脱自在に装着される動作試験治具５とで構成されている。
【００１７】
送電停止停解装置２は、図２に示すように、電力量計６に下方から装着される単相３線式端子下面設置型の開閉器３と、この開閉器３を開閉駆動する無線通信装置７とを備えている。
開閉器３は、図３と共に参照して明らかなように、例えば合成樹脂製の絶縁ブロック体１１を有する。この絶縁ブロック体１１の正面には、電力供給側の電線を接続する電線接続端子１２Ｓａ〜１２Ｓｃ及び負荷側の電線を接続する電線接続端子１２Ｌａ〜１２Ｌｃが形成されている。また、絶縁ブロック体１１の底面には、電力供給側の電線を挿通する挿通孔１３Ｓａ〜１３Ｓｃ及び負荷側の電線を挿通する挿通孔１３Ｌａ〜１３Ｌｃが形成されている。さらに、絶縁ブロック体１１の上面には、電力量計６に接続される計器接続端子１４Ｓａ〜１４Ｓｃ及び１４Ｌａ〜１４Ｌｃが突出形成されている。
【００１８】
そして、絶縁ブロック体１１の内部には、図２に示すように、電力量計６に供給する電力の送電路を開閉する開閉機構１５が設けられている。この開閉機構１５は、電線接続端子１２Ｓａ及び計器接続端子１４Ｓａを電気的に接続する接続線１６Ｓａに介挿された開閉スイッチ１７Ｓａと、電線接続端子１２Ｓｃ及び計器接続端子１４Ｓｃを電気的に接続する接続線１６Ｓｃに介挿された開閉スイッチ１７Ｓｃとを有する。これら開閉スイッチ１７Ｓａ及び１７Ｓｃは図示しない例えばソレノイドで構成されるアクチュエータを内装している。これらアクチュエータを無線通信装置７から駆動制御することによって、開閉スイッチ１７Ｓａ及び１７Ｓｃが同時に開閉駆動される。
【００１９】
無線通信装置７は、開閉器３にコネクタ１８及び１９を介して接続されている。この無線通信装置７は、外部の基地局から送信される需要家の管理番号及び送電停止停解指令を受信するアンテナ２２と、このアンテナ２２に接続された送電停止・停解指令の受信処理を行う通信部２３とを備えている。また、無線通信装置７は、通信部２３で受信した送電停止停解指令に基づいて開閉機構１５の開閉制御を行う開閉制御部２４と、この開閉制御部２４からの開閉指令に基づいて開閉機構１５の開閉駆動を行う開閉駆動部２５とを備えている。さらに、無線通信装置７は、通信部２３で自己宛の送電停止停解指令を受信したときに、開閉制御部２４及び開閉駆動部２５に電力を供給する駆動電源部２６と、電力の送電路の開閉状態を検出する状態検出部２７とを備えている。ここで、開閉制御部２４には、電力需要家に固有な管理番号２９が登録されている。また、通信部２３での無線通信は、携帯電話網やＰＨＳ網などの無線通信網を利用する。
【００２０】
そして、無線通信装置７は、外部の基地局から管理番号及び送電停止・停解指令を受信すると、その管理番号が自己の固有の管理番号と一致するか否かを判断する。そして、無線通信装置７で受信した管理番号が自己に固有の管理番号と一致する場合、無線通信装置７は基地局との通信を確立し、送電停止・停解指令を受信する。そして、無線通信装置７は送電停止指令（又は送電停解指令）を受信すると、開閉制御部２４は、開閉機構１５で送電路を切断（又は接続）するように開閉駆動部２５を作動させて、開閉機構１５の開閉スイッチ１７Ｓａ及び１７Ｓｂを開成（又は開成）させる。
【００２１】
開閉器保持具４は、図４に示すように、平面からみて正方形の台座３１を有する。この台座３１は、略正方形の底面板３２と、この底面板３２の前辺を除く３辺に垂設された磁性金属板３３と、左右の磁性金属板３３の前端より所定距離後方側位置間を連結する前面板３４と、磁性金属板３３及び前面板３４の上端面に配設された合成樹脂製の絶縁基板３５とで箱状に構成されている。
【００２２】
絶縁基板３５は、上面の中央部に後述する送電停止停解装置の開閉器を装着する開閉器装着面３６が形成され、この開閉器装着面３６の後端側に開閉器を位置決め保持する位置決め部材３７が左右方向に延長して配設されている。この位置決め部材３７は、後述する開閉器の基準となる計器接続端子１４Ｌａを前後方向に嵌合保持する比較的幅狭の端子係合凹部３７ａと、他の計器接続端子を前後方向に挿通する端子挿通凹部３７ｂ及び３７ｃと、外側の計器接続端子１４Ｓａを前後方向に嵌合保持する比較的幅狭の端子係合凹部３７ｄとが左右方向に右側から順に形成されている。
【００２３】
また、開閉器装着面３６には、位置決め部材３７の左右方向の略中央部から前方に所定距離だけ離間した位置に後述する単相２線式端子正面設置型の開閉器の取付ねじを螺合する雌ねじ３８が形成されている。
さらに、開閉器装着面３６には、後述する単相２線式端子正面設置型の開閉器の突起部を挿通する挿通部３９ａ，３９ｂが形成されている。
【００２４】
また、絶縁基板３５の前端側には、前端面から後方に挿通部３９ｂに達する切欠部４０が形成されているとともに、位置決め部材３７の後方側に双極ブレーカー４１が配設されている。
さらに、絶縁基板３５の開閉器装着面３６の周囲の左右端部位置に動作試験治具５の四隅を位置決めする平面から見てＬ字上のガイド部材４２ａ〜４２ｄが配設されているとともに、ガイド部材４２ａ及び４２ｂ間及び４２ｃ及び４２ｄ間に長方形状の磁性板４３ａ及び４３ｂが固定されている。さらに、磁性板４３ａ及び４３ｂの前後方向の中央部より僅かにずれた位置における内側にガイドピン４４ａ及び４４ｂが突出形成されている。
【００２５】
また、ガイドピン４４ａ及び４４ｂの内側には、電源供給端子４５ａ及び４５ｂと外部接続端子４６ａ及び４６ｂとが露出して前後方向に整列されて配設され、左側の外部接続端子４６ａの前方側に圧力応動スイッチとしての常開スイッチ機能を有するスイッチプローブ４７が配設されている。
さらに、前面板３４には、挿通部３９ａ及び３９ｂ間の下側位置に後述する単相２線式端子下面設置型の開閉器の計器接続線の接続端子を挿通する端子部としてのマルチコンタクトジャック４８ａ及び４８ｂが配設されている。
【００２６】
そして、開閉器保持具４の電気的接続関係は、図７に示すように、双極ブレーカー４１の一端が電源プラグ４９に接続され、双極ブレーカー４１の他端の一方がスイッチプローブ４７のスイッチ部４７ａを介して電源供給端子４５ａに接続され、他方が直接電源供給端子４５ｂに接続されている。そして、双極ブレーカー４１の電源供給端子４５ａ及び４５ｂ側に電源表示用素子としての発光ダイオード５０が接続されている。さらに、マルチコンタクトジャック４８ａ及び４８ｂが個別に外部接続端子４６ａ及び４６ｂに接続されている。
【００２７】
動作試験治具５は、図５及び図６に示すように、内部を視認可能な例えばアクリル樹脂製の直方体状の絶縁ケース体５１を有する。この絶縁ケース体５１は、支持部材５２と、この支持部材５２を覆う直方体状カバー５３とで構成されている。
支持部材５２は、左右方向に延長する長方形の水平支持板部５２ａと、この水平支持板部５２ａの下面側に左右方向の端部から所定距離内側に下方に延長して形成された左右側板部５２ｂ及び５２ｃとで構成されている。ここで、左右側板部５２ｂ及び５２ｃの下端が前述した開閉器保持具４のガイド部材４２ａ〜４２ｄに案内されて絶縁基板３５上に位置決めされる。また、水平支持板部５２ａの左右側板部５２ｂ及び５２ｃから突出する部分が把手部５２ｄ及び５２ｅとされている。さらに、動作試験治具５を開閉器保持具４に少なくとも第１の接触子５５Ｓａ〜５５Ｓｃ及び５５Ｌａ〜５５Ｌｃを開閉器３の電線接続端子１２Ｓａ〜１２Ｓｃ及び１２Ｌａ〜１２Ｌｃに接触するように装着したときに、左右側板部５２ｂ及び５２ｃの下面に開閉器保持具４のガイドピン４４ａ及び４４ｂに係合する係合孔５２ｆ及び５２ｇが形成されている。
【００２８】
直方体状カバー５３は、支持部材５２の左右側板部５２ｂ及び５２ｃの内周面に対応する上面を覆う下面を開放した直方体状部５３ａを有する。この直方体状部５３ａの前後板部５３ｂ及び５３ｃの下端の外側には、支持部材５２の左右側板部５２ｂ及び５２ｃの前後端部に対して所定距離離間し、且つ左右側板部５２ｂ及び５２ｃの下面より僅かに上方位置まで延長する延長板部５３ｄ及び５３ｅが形成されている。
【００２９】
そして、支持部材５２の水平支持板部５２ａには、動作試験治具５を開閉器保持具４に位置決めしたときに、開閉器３の電線接続端子１２Ｓａ〜１２Ｓｃ及び１２Ｌａ〜１２Ｌｃに対向する前方側位置に、これら電線接続端子１２Ｓａ〜１２Ｓｃ及び１２Ｌａ〜１２Ｌｃに弾性接触するバネ付きプローブで構成される第１の接触子５５Ｓａ〜５５Ｓｃ及び５５Ｌａ〜５５Ｌｃが配設されている。また、第１の接触子５５Ｓａ及び５５Ｓｂ間に、開閉器３の電線接続端子１２Ｓａ及び１２Ｓｂ間の絶縁ブロック体１１の表面に接触する圧力応動スイッチとしてのスイッチ機能を有するスイッチプローブ５６が配設されている。
【００３０】
また、水平支持板部５２ａの後方側には、下面に下方に延長する板部とその下端から前方に延長する板部とからなる断面Ｌ字状のＬ字状板部５７が固定されている。このＬ字状板部５７の水平板部には、動作試験治具５を開閉器保持具４に位置決めしたときに、開閉器３の計器接続端子１４Ｓａ〜１４Ｓｃ及び１４Ｌａ〜１４Ｌｃの位置決め部材３７より後方に突出した部分に対向する位置に、これら計器接続端子１４Ｓａ〜１４Ｓｃ及び１４Ｌａ〜１４Ｌｃに弾性接触するバネ付きプローブで構成される第２の接触子５８Ｓａ〜５８Ｓｃ及び５８Ｌａ〜５８Ｌｃが配設されている。
【００３１】
また、左右側板部５２ｂ及び５２ｃの下面側内面に前後方向に延長し、左右側板部５２ｂ及び５２ｃの下面より高い位置に支持片５９ａ及び５９ｂが形成され、これら支持片５９ａ及び５９ｂに、動作試験治具５を開閉器保持具４に位置決めしたときに、開閉器保持具４の電源供給端子４５ａ及び４５ｂに対向する位置に、これら電源供給端子４５ａ及び４５ｂに弾性接触するバネ付きプローブで構成される電源接触子６０ａ及び６０ｂが配設されている。また、支持片５９ａ及び５９ｂの電源接触子６０ａ及び６０ｂより前方側に、動作試験治具５を開閉器保持具４に位置決めしたときに、スイッチプローブ４７に対向する位置にスイッチプローブ４７を押圧するプローブ６１が配設されている。
【００３２】
また、水平支持板部５２ａには、前端側の左右位置に、開閉器３の開閉動作状態を表示する開閉操作表示素子としての例えば緑色の開閉状態表示用発光ダイオード６２ａ及び６２ｂが配設されている。また、開閉状態表示用発光ダイオード６２ａの後方側に電源表示素子としての例えば赤色の電源表示用発光ダイオード６３が配設されている。
そして、動作試験治具５の電気的接続は、図５及び図６に図示しないが、図７に示すように配線されている。すなわち、電源接触子６０ａが直接第１の接触子５５Ｓａ及び５５Ｓｃに接続され、電源接触子６０ｂがスイッチプローブ５６のスイッチ部５６ａを介して第１の接触子５５Ｓｂに接続されている。また、電源接触子６０ａ及び第１の接触子５５Ｓａ間とスイッチプローブ５６のスイッチ部５６ａ及び第１の接触子５５Ｓｂ間との間に電源表示素子としての電源表示用発光ダイオード６３が接続されている。さらに、第１の接触子５５Ｌｂと第１の接触子５５Ｌａ及び５５Ｌｃとの間に動作表示用発光ダイオード６２ａ及び６２ｂが接続されている。さらにまた、第２の接触子５８Ｓａが第２の接触子５８Ｌａに接続され、第２の接触子５８Ｓｂが第２の接触子５８Ｌｂに接続され、第２の接触子５８Ｓｃが第２の接触子５８Ｌｃに接続されている。
【００３３】
そして、前述した送電停止停解装置２の単相３線式端子下面設置型の開閉器３を試験する場合には、開閉器保持具４の双極ブレーカー４１をオフ状態とした状態で、電源プラグ４９を商用交流電源（１００Ｖ）に接続する。その後又はその前に開閉器３の計器接続端子１４Ｌａ及び１４Ｓａを水平方向として開閉器保持具４の位置決め部材３７の嵌合凹部３７ａ及び３７ｄに嵌合させるとともに、絶縁ブロック体１１の上面を位置決め部材３７の前面に当接させることにより、開閉器３を開閉器装着面３６に位置決め保持する。さらに、位置決め保持された開閉器３のコネクタ１８に無線通信装置７のコネクタ１９を接続して置く。
【００３４】
この状態で、開閉器保持具４に動作試験治具５を装着する。この動作試験治具５の装着は、開閉器保持具４の開閉器装着面３６の周囲に形成したガイド部材４２ａ〜４２ｄに動作試験治具５の支持部材５２の左右側板部５２ｂ及び５２ｃの前後端部を案内させ、且つガイドピン４４ａ及び４４ｂを係合孔５２ｆ及び５２ｇに係合させる。これにより、開閉器保持具４の第１の接触子５５Ｓａ〜５５Ｓｃ及び５５Ｌａ〜５５Ｌｃが開閉器３の電線接続端子１２Ｓａ〜１２Ｓｃ及び１２Ｌａ〜１２Ｌｃに対向し、且つ第２の接触子５８Ｓａ〜５８Ｓｃ及び５８Ｌａ〜５８Ｌｃが開閉器３の計器接続端子１４Ｓａ〜１４Ｓｃ及び１４Ｌａ〜１４Ｌｃに対向する。さらに、電源接触子６０ａ及び６０ｂが開閉器保持具４の電源供給端子４５ａ及び４５ｂに対向し、プローブ６１がスイッチプローブ４７に対向する。
【００３５】
この状態で、動作試験治具５を押し込んで、支持部材５２の左右側板部５２ｂ及び５２ｃの下面を開閉器保持具４の絶縁基板３５上に当接させると、動作試験治具５の永久磁石５４ａ及び５４ｂが絶縁基板３５に配設された磁性板４３ａ及び４３ｂに吸着する。このとき、開閉器保持具４の第１の接触子５５Ｓａ〜５５Ｓｃ及び５５Ｌａ〜５５Ｌｃが開閉器３の電線接続端子１２Ｓａ〜１２Ｓｃ及び１２Ｌａ〜１２Ｌｃに弾性接触し、且つ第２の接触子５８Ｓａ〜５８Ｓｃ及び５８Ｌａ〜５８Ｌｃが開閉器３の計器接続端子１４Ｓａ〜１４Ｓｃ及び１４Ｌａ〜１４Ｌｃに弾性接触する。さらに、電源接触子６０ａ及び６０ｂが開閉器保持具４の電源供給端子４５ａ及び４５ｂに弾性接触し、プローブ６１がスイッチプローブ４７を押圧してスイッチプロープ４７のスイッチ部４７ａがオン状態とされる。さらにまた、スイッチプローブ５６が開閉器３の絶縁ブロック体１１の正面に接触することにより、そのスイッチ部５６ａがオン状態とされる。このとき、動作試験治具５の絶縁ケース体５１が外部から視認可能であるので、各接触子の接触状態を直接視認することが可能となり、動作試験治具の接触不良による開閉器動作の誤判定を確実に防止できる。
【００３６】
この状態で、開閉器保持具４の双極ブレーカー４１をオン状態とする。このとき、上述したように、開閉器保持具４のスイッチプローブ４７のスイッチ部４７ａがオン状態となっているので、商用交流電源が双極ブレーカー４１を介して電源供給端子４５ａ及び４５ｂに供給される。この状態で、開閉器保持具４に配設された電源表示用発光ダイオード５０が点灯する（実際上は商用交流電源の周波数に応じて点滅状態となるが点灯しているように見える、以下各発光ダイオードで同じ点灯状態となる）。
【００３７】
そして、電源供給端子４５ａ及び４５ｂには、動作試験治具５の電源接触子６０ａ及び６０ｂが弾性接触されており、上述したように、スイッチプローブ５６のスイッチ部５６ａがオン状態となっているので、電源表示用発光ダイオード６３が点灯するとともに、電源接触子６０ａに供給される商用交流電源の一方が第１の接触子５５Ｓａ及び５５Ｓｃを介して開閉器３の電線接続端子１２Ｓａ及び１２Ｓｃに供給され、商用交流電源の他方が第１の接触子５５Ｓｂを介して開閉器３の電線接続端子１２Ｓｂに供給される。
【００３８】
このとき、無線通信装置７に対して、該当する管理番号及び送電停解指令を所定の無線通信網を通じて送信する。このため、無線通信装置７の開閉制御部２４で、開閉器３の開閉機構１５の開閉スイッチ１７Ｓａ及び１７Ｓｃをオン状態とするように開閉駆動部２５を制御する。これによって、電線接続端子１２Ｓａ及び１２Ｓｃに供給された商用交流電源の一方が計器接続端子１４Ｓａ及び１４Ｓｃに出力される。これと同時に、電線接続端子１２Ｓｂに供給されている交流電源の他方が計器接続端子１４Ｓｂにそのまま出力される。
【００３９】
そして、計器接続端子１４Ｓａ及び１４Ｓｃに第２の接触子５８Ｓａ及び５８Ｓｃが弾性接触しており、これら第２の接触子５８Ｓａ及び５８Ｓｃが第２の接触子５８Ｌａ及び５８Ｌｃに電気的に接続されている。さらに、計器接続端子１４Ｓｂに第２の接触子５８Ｓｂが弾性接触しており、この第２の接触子５８Ｓｂが第２の接触子５８Ｌｂに電気的に接触されている。
【００４０】
このため、開閉器３の計器接続端子１４Ｓａ〜１４Ｓｃから出力された商用交流電源が第２の接触子５８Ｓａ〜５８Ｓｃ及び５８Ｌａ〜５８Ｌｃを介して計器接続端子１４Ｌａ〜１４Ｌｃに戻り、開閉器３の電線接続端子１２Ｌａ〜１２Ｌｃを介して第１の接触子５５Ｌａ〜５５Ｌｃに供給される。
そして、第１の接触子５５Ｌｂと第１の接触子５５Ｌａ及び５５Ｌｃとの間に動作表示用発光ダイオード６２ａ及び６２ｂが接続されているので、これら動作表示用発光ダイオード６２ａ及び６２ｂが点灯する。これによって、開閉器３の開閉機構１５の開閉スイッチ１７Ｓａ及び１７Ｓｂが正常であることが確認できる。
【００４１】
このとき、動作表示用発光ダイオード６２ａ及び６２ｂの何れか一方が消灯状態を継続する場合には、消灯状態を継続する側の開閉スイッチ１７Ｓａ又は１７Ｓｃが異常であるか、第１の接触子５５Ｓａ又は５５Ｓｃ、第２の接触子５８Ｓａ又は５８Ｓｃ、第２の接触子５８Ｌａ又は５８Ｌｃ、第１の接触子５５Ｌａ又は５５Ｌｃの接触不良が考えられ、第１の接触子及び第２の接触子の接触不良については、絶縁ケース体５１の内部を外部から視認できるので、接触不良がないことが確認されると、開閉スイッチ１７Ｓａ又は１７Ｓｃの異常と判断することができる。
【００４２】
さらに、動作表示用発光ダイオード６２ａ及び６２ｂの双方が消灯状態を継続する場合には、電源表示用発光ダイオード６３が点灯状態であるときには、開閉機構１５の開閉スイッチ１７Ｓａ及び１７Ｓｃの異常と判断することができる。
次いで、無線通信装置７に、該当する管理番号及び送電停止指令を所定の無線通信網を介して送信する。これによって、無線通信装置７の開閉制御部２４で、開閉器３の開閉機構１５の開閉スイッチ１７Ｓａ及び１７Ｓｃをオフ状態とするように開閉駆動部２５が制御される。
【００４３】
このとき、開閉機構１５の開閉スイッチ１７Ｓａ及び１７Ｓｃがオフ状態となるため、開閉器３の電線接続端子１２Ｓａ及び１２Ｓｃと計器接続端子１４Ｓａ及び１４Ｓｃとの間が非接続状態となるため、動作表示用発光ダイオード６２ａ及び６２ｂに対する商用交流電源の供給が断たれるので、これら動作表示用発光ダイオード６２ａ及び６２ｂが消灯する。このように動作表示用発光ダイオード６２ａ及び６２ｂの双方が消灯状態となると、開閉器３の開閉機構１５の開閉スイッチ１７Ｓａ及び１７Ｓｃが正常であると判断することができる。
【００４４】
このとき、動作表示用発光ダイオード６２ａ及び６２ｂの何れかが点灯状態を維持する場合には、開閉器３の開閉機構１５の開閉スイッチ１７Ｓａ若しくは１７Ｓｂの異常または無線通信装置７の異常と判断することができる。
このため、無線通信装置７のコネクタ１９を開閉器３のコネクタ１８から外し、新たな無線通信装置７のコネクタ１９を開閉器３のコネクタ１８に接続し、交換した無線通信装置７の管理番号及び送電停止指令を所定の無線通信網を介して送信する。この状態で、動作表示用発光ダイオード６２ａまたは６２ｂが点灯状態を維持する場合には、無線通信装置７の異常ではなく開閉器３の開閉機構１５の異常であると判断することができる。
【００４５】
このため、開閉器保持具４の双極ブレーカー４１をオフ状態として、動作試験治具５を開閉器保持具４から取り外し、異常である開閉器３を取り外して、新たな開閉器３を位置決め部材３７に位置決め保持してから前記と同様の試験を行う。
また、開閉器保持具４に動作試験治具５を装着しない状態で、電源プラグ４９を商用交流電源に接続し、双極ブレーカー４１をオン状態とした場合には、動作試験治具５が装着されていないので、スイッチプローブ４７のスイッチ部４７ａがオフ状態を維持することから、電源供給端子４５ａには商用交流電源が供給されることはなく、電源供給端子４５ｂとの間で短絡が生じることはない。
【００４６】
また、開閉器保持具４に開閉器３を位置決め保持しない状態で、開閉器保持具４に動作試験治具５を装着した場合には、動作試験治具５のスイッチプローブ５６が開閉器３の絶縁ブロック体１１の表面に接触することがないので、そのスイッチ部５６ａがオフ状態を継続することから、第１の接触子５５Ｓｂに商用交流電源が接続されることはなく、動作試験治具５内で通電路が形成されることはない。
【００４７】
このように、上記実施形態によると、開閉器保持具４の開閉器装着面３６に単相３線式端子下面設置型の開閉器３を位置決めして装着し、この状態で、動作試験治具５を開閉器保持具４にガイド部材４２ａ〜４２ｄ及びガイドピン４４ａ，４４ｂで案内しながら装着し、この状態で、双極ブレーカー４１をオン状態とするとともに、無線通信装置７に対して所定の無線通信網を介して管理番号及び送電停止指令，送電停解指令を送信するだけの簡単な操作で開閉器３の動作試験を短時間で行うことができる。このため、送電停止停解装置２の試験を高効率で行うことができる。この際、開閉器３との電気的接続部や電源供給端子が外部に露出することなく、動作試験治具５で覆われるので、感電や異極間短絡等が発生することを確実に防止することができる。
【００４８】
しかも、動作試験治具５のケース体が外部から視認可能な絶縁ケース体５１で構成されているので、開閉器３の電線接続端子１２Ｓａ〜１２Ｓｃ及び１２Ｌａ〜１２Ｌｃ並びに計器接続端子１４Ｓａ〜１４Ｓｃ及び１４Ｌａ〜１４Ｌｃと動作試験治具５の第１の接触子５５Ｓａ〜５５Ｓｃ及び５５Ｌａ〜５５Ｌｃ並びに第２の接触子５８Ｓａ〜５８Ｓｃ及び５８Ｌａ〜５８Ｌｃとの接触状態や電源供給端子４５ａ及び４５ｂと電源接触子６０ａ及び６０ｂとの接触状態を視認することができ、接触不良を容易に確認することができる。
【００４９】
次ぎに、単相２線式端子下面設置型の第２の開閉器７０の動作試験について説明する。
この第２の開閉器７０は、図８に示すように、前述した単相３線式端子下面設置型の開閉器３における電線接続端子１２Ｓｃ，１２Ｌｃ及び計器接続端子１４Ｓｃ，１４Ｌｃが省略されて、残りの電線接続端子１２Ｓａ，１２Ｓｂ及び１２Ｌａ，１２Ｌｂが電線接続端子１２Ｓａ及び１２Ｓｂ間の距離と、電線接続端子１２Ｌａ及び１２Ｌｂ間の距離とが等しくされ、且つ電線接続端子１２Ｓｂ及び１２Ｌｂ間の距離が長く設定されていることを除いては前述した図３の開閉器３と同様の構成を有する。このため、図８において、図３との対応部分には同一符号を付し、その詳細説明とこれを省略する。
【００５０】
一方、開閉器保持具４に装着する第２の動作試験治具８０は、図９及び図１０に示すように、絶縁ケース体５１自体は前述した動作試験治具５の絶縁ケース体５１と同様の構成を有し、この絶縁ケース体５１に保持される第１の接触子５５Ｓｃ及び５５Ｌｃ、第２の接触子５８Ｓｃ及び５８Ｌｃが省略されていることを除いては前述した図５及び図６と同様の構成を有し、図５及び図６との対応部分には同一符号を付し、その詳細説明はこれを省略する。ここで、残りの第１の接触子５５Ｓａ，５５Ｓｂ及び５５Ｌａ，５５Ｌｂが開閉器７０の電線接続端子１２Ｓａ，１２Ｓｂ及び１２Ｌａ，１２Ｌｂに弾性接触するように配置され、第２の接触子５８Ｓａ，５８Ｓｂ及び５８Ｌａ，５８Ｌｂが開閉器７０の計器接続端子１４Ｓａ，１４Ｓｂ及び１４Ｌａ，１４Ｌｂに弾性接触するように配置されている。
【００５１】
そして、第２の動作試験治具８０の電気的接続関係は、前述した図７に示すように、電源接触子６０ａに第１の接触子５５Ｓａが直接接続され、電源接触子６０ｂがスイッチプローブ５６のスイッチ部５６ａを介して第１の接触子５５Ｓｂに接続されている。また、第２の接触子５８Ｓａが第２の接触子５８Ｌａに直接接続され、第２の接触子５８Ｓｂが第２の接触子５８Ｌｂに直接接続されている。さらに、第１の接触子５５Ｌａが動作表示用発光ダイオード６２を介して第１の接触５５Ｌｂに接続されている。
【００５２】
この単相２線式端子下面設置型の開閉器７０を試験する場合には、前述した単相３線式対し下面設置型の開閉器３を試験する場合と同様に、開閉器保持具４の双極ブレーカー４１をオフ状態とした状態で、開閉器７０の計器接続端子１４Ｌａを位置決め部材３７の嵌合凹部３７ａに嵌合させて、その先端部を位置決め部材３７の後方側へ突出させた状態で、開閉器装着面３６に位置決め装着する。その後またはその前に、開閉器７０に対して無線通信装置７をコネクタ１８及び１９を介して接続する。
【００５３】
その後、開閉器保持具４上に動作試験治具８０を、支持部材５２の左右側板部５２ｂ及び５２ｃの前後端部をガイド部材４２ａ〜４２ｄで案内し、且つガイドピン４４ａ及び４４ｂを係合孔５２ｆ及び５２ｇに係合させることにより、位置決めしながら装着する。
このとき、動作試験治具８０の永久磁石５４ａ及び５４ｂが開閉器保持具４の磁性板４３ａ及び４３ｂに吸着されたときに、動作試験治具８０の第１の接触子５５Ｓａ，５５Ｓｂ及び５５Ｌａ，５５Ｌｂが開閉器７０の電線接続端子１２Ｓａ，１２Ｓｂ及び１２Ｌａ，１２Ｌｂに弾性接触する。これと同時に、第２の接触子５８Ｓａ，５８Ｓｂ及び５８Ｌａ，５８Ｌｂが開閉器７０の計器接続端子１４Ｓａ，１４Ｓｂ及び１４Ｌａ，１４Ｌｂに弾性接触する。さらに、電源接触子６０ａ及び６０ｂが開閉器保持具４の電源供給端子４５ａ及び４５ｂに弾性接触する。さらにまた、プローブ６１が開閉器保持具４のスイッチプローブ４７を押圧してスイッチプローブ４７のスイッチ部４７ａをオン状態とする。
【００５４】
このとき、無線通信装置７に対して、該当する管理番号及び送電停解指令を所定の無線通信網を介して送信することにより、開閉器７０内の開閉機構１５の開閉スイッチ１７Ｓａがオン状態となり、電線接続端子１２Ｓａ及び計器接続端子１４Ｓａ間が通電状態となる。
この状態で、電源プラグ４９を商用交流電源に接続し、双極ブレーカー４１をオン状態とすることにより、開閉器保持具４の電源表示用発光ダイオード５０が点灯するとともに、電源供給端子４５ａ及び４５ｂから電源接触子６０ａ及び６０ｂを介し、スイッチプローブ５６のスイッチ部５６ａを介して商用交流電源が第１の接触子５５Ｓａ及び５５Ｓｂに供給される。
【００５５】
これら第１接触子５５Ｓａ及び５５Ｓｂに供給された商用交流電源は、開閉器７０の電線接続端子１２Ｓａ及び１２Ｓｂを介し、計器接続端子１４Ｓａ及び１４Ｓｂを介して第２の接触子５８Ｓａ及び５８Ｓｂに供給され、これらから第２の接触子５８Ｌａ及び５８Ｌｂを介し、開閉器７０の計器接続端子１４Ｌａ及び１４Ｌｂを介し、電線接続端子１２Ｌａ及び１２Ｌｂを介して第１の接触子５５Ｌａ及び５５Ｌｂに供給されて動作表示用発光ダイオード６２を点灯させる。
【００５６】
このように、動作表示用発光ダイオード６２が点灯すれば、開閉器７０及び無線通信装置７が正常であると判断することができ、動作表示用発光ダイオード６２が消灯状態を継続する場合には、開閉器７０または無線通信装置７の異常あるいは、開閉器７０と動作試験治具８０の各接触子間の接触不良が発生していると判断し、開閉器７０と動作試験治具８０の各接触子間の接触不良については絶縁ケース体５１を通じて視認することにより確認することができる。接触不良を生じていないときには、無線通信装置７を開閉器７０から取り外して新たな無線通信装置７を接続してから、上記試験操作を行うことにより、開閉器７０または無線通信装置７の異常を試験する。
【００５７】
そして、開閉器７０の送電停解状態での試験が完了すると、無線通信装置７に対して所定の無線通信網を介して該当する管理番号及び送電停止指令を送信することにより、開閉器７０の開閉機構１５の開閉スイッチ１７Ｓａをオフ状態に制御する。
この状態で、動作表示用発光ダイオード６２が消灯すれば、開閉器７０が正常であると判断し、動作表示用発光ダイオード６２が点灯状態を継続する場合には、開閉器７０及び無線通信装置７の何れかの異常と判断して、無線通信装置７を新たな無線通信装置７に交換してから再度該当する管理番号及び送電停止指令を所定の無線通信網を介して送信する。これにより、動作表示用発光ダイオード６２が消灯すれば、無線通信装置７の異常と判断し、新たな無線通信装置７と開閉器７０との組み合わせが正常であると判断する。
【００５８】
次ぎに、単相２線式端子正面設置型の第３の開閉器９０を試験する場合について説明する。
この第３の開閉器９０は、図１１に示すように、正面に電線接続端子１２Ｓａ及び１２Ｓｂが形成され、背面側に電力量計６に接続する接続端子としてのマルチコンタクトピン９１ａ及び９１ｂを有する計器接続線９２ａ及び９２ｂが配設され、さらに背面側に後方に突出する突起部９３ａ及び９３ｂが形成され、さらに上面側に電力量計に装着するための取付ねじ９４が装着されている構成を有する。ここで、電線接続端子１２Ｓａ及び１２Ｓｂと計器接続線９２ａ及び９２ｂとの間に開閉機構１５が配設されて、電線接続端子１２Ｓａ及び計器接続線９２ａ間に開閉スイッチ１７Ｓａが介挿されている。
【００５９】
一方、第３の開閉器９０を試験する動作試験治具１００は、図１２及び図１３に示すように、絶縁ケース体５１自体は前述した動作試験治具５及び８０の絶縁ケース体５１と同様の構成を有し、この絶縁ケース体５１に保持される第１の接触子５５Ｌａ及び５５Ｌｂ、第２の接触子５８Ｓａ，５８ｂ及び５８Ｌａ，５８Ｌｂが省略され、開閉器保持具４の外部接続端子４６ａ及び４６ｂに弾性接触する接触子１０１ａ及び１０１ｂが設けられていることを除いては前述した図９及び図１０と同様の構成を有し、図９及び図１０との対応部分には同一符号を付し、その詳細説明はこれを省略する。ここで、残りの第１の接触子５５Ｓａ及び５５Ｓｂが開閉器７０の電線接続端子１２Ｓａ及び１２Ｓｂに弾性接触するように配置されている。
【００６０】
そして、第３の動作試験治具１００の電気的接続関係は、前述した図７に示すように、電源接触子６０ａが第１の接触子５５Ｓａに直接接続され、電源接触子６０ｂがスイッチプローブ５６のスイッチ部５６ａを介して第１の接触子５５Ｓｂに接続され、接触子１０１ａ及び１０１ｂが動作表示用発光ダイオード１０２を介して接続されている。
そして、第３の開閉器９０の動作試験を行うには、先ず、開閉器保持具４の少なくとも双極ブレーカー４１をオフ状態とした状態で、開閉器保持具４の開閉器装着面３６に、代３の開閉器９０を、第３の開閉器９０の上面を位置決め部材３７の前面に当接させ、且つ取付ねじ９４を開閉器装着面３６に形成された雌ねじ３８に螺合させて位置決め保持する。このとき、開閉器９０の背面側の突起部９３ａ及び９３ｂが開閉器保持具４の挿通部３９ａ及び３９ｂに挿通されることにより、開閉器９０の背面を開閉器保持具４の開閉器装着面３６に当接させることができ、開閉器９０を安定して位置決め保持することができる。
【００６１】
この状態でまたはその前に、第３の開閉器９０の計器接続線９２ａ及び９２ｂのマルチコンタクトピン９１ａ及び９１ｂを開閉器保持具４の前面板３４に形成されたマルチコンタクトジャック４８ａ及び４８ｂに接続する。
この状態で、開閉器保持具４に第３の動作試験治具１００を、支持部材５２の左右側板部５２ｂ及び５２ｃの前後端部をガイド部材４２ａ〜４２ｄで案内し、且つガイドピン４４ａ及び４４ｂを係合孔５２ｆ及び５２ｇに係合させることにより、位置決めしながら装着する。
【００６２】
このとき、動作試験治具８０の永久磁石５４ａ及び５４ｂが開閉器保持具４の磁性板４３ａ及び４３ｂに吸着されたときに、動作試験治具８０の第１の接触子５５Ｓａ及び５５Ｓｂが開閉器９０の電線接続端子１２Ｓａ及び１２Ｓｂに弾性接触する。これと同時に、電源接触子６０ａ及び６０ｂが開閉器保持具４の電源供給端子４５ａ及び４５ｂに弾性接触する。また、接触子１０１ａ及び１０１ｂが外部接続端子４６ａ及び４６ｂに弾性接触する。さらに、プローブ６１が開閉器保持具４のスイッチプローブ４７を押圧してスイッチプローブ４７のスイッチ部４７ａをオン状態とする。
【００６３】
このとき、無線通信装置７に対して、該当する管理番号及び送電停解指令を所定の無線通信網を介して送信することにより、開閉器９０内の開閉機構１５の開閉スイッチ１７Ｓａがオン状態となり、電線接続端子１２Ｓａ及び計器接続線９２ａ間が通電状態となる。
この状態で、電源プラグ４９を商用交流電源に接続し、双極ブレーカー４１をオン状態とすることにより、開閉器保持具４の電源表示用発光ダイオード５０が点灯するとともに、電源供給端子４５ａ及び４５ｂから電源接触子６０ａ及び６０ｂを介し、スイッチプローブ５６のスイッチ部５６ａを介して商用交流電源が第１の接触子５５Ｓａ及び５５Ｓｂに供給される。
【００６４】
これら第１接触子５５Ｓａ及び５５Ｓｂに供給された商用交流電源は、開閉器９０の計器接続線９２ａ及び９２ｂを介し、マルチコンタクトピン９１ａ及び９１ｂを介して開閉器保持具４のマルチコンタクトジャック４８ａ及び４８ｂに供給される。そして、マルチコンタクトジャック４８ａ及び４９ｂから外部接続端子４６ａ及び４６ｂを介して接触子１０１ａ及び１０１ｂに供給されて動作表示用発光ダイオード１０２を点灯させる。
【００６５】
このように、動作表示用発光ダイオード１０２が点灯すれば、開閉器９０及び無線通信装置７が正常であると判断することができ、動作表示用発光ダイオード１０２が消灯状態を継続する場合には、開閉器９０または無線通信装置７の異常あるいは、開閉器９０と動作試験治具１００の各接触子間の接触不良が発生していると判断し、開閉器９０と動作試験治具１００の各接触子間の接触不良については絶縁ケース体５１を通じて視認することにより確認することができる。接触不良を生じていないときには、無線通信装置７を開閉器９０から取り外して新たな無線通信装置７を接続してから、上記試験操作を行うことにより、開閉器９０または無線通信装置７の異常を試験する。
【００６６】
そして、開閉器９０の送電停解状態での試験が完了すると、無線通信装置７に対して所定の無線通信網を介して該当する管理番号及び送電停止指令を送信することにより、開閉器７０の開閉機構１５の開閉スイッチ１７Ｓａをオフ状態に制御する。
この状態で、動作表示用発光ダイオード１０２が消灯すれば、開閉器９０が正常であると判断し、動作表示用発光ダイオード１０２が点灯状態を継続する場合には、開閉器９０及び無線通信装置７の何れかの異常と判断して、無線通信装置７を新たな無線通信装置７に交換してから再度該当する管理番号及び送電停止指令を所定の無線通信網を介して送信する。これにより、動作表示用発光ダイオード１０２が消灯すれば、無線通信装置７の異常と判断し、新たな無線通信装置７と開閉器９０との組み合わせが正常であると判断する。
【００６７】
このように、上記実施形態によると、開閉器保持具４の開閉器装着面３６に、単相３線式端子下面設置品、単相２線式端子下面設置品及び単相２線式端子表面設置品の３種類の開閉器３、７０及び９０を位置決め固定可能とし、開閉器装着面３６に位置決め固定した開閉器３、７０、９０の何れかに応じた動作試験治具５、８０及び１００を選択して、選択した動作試験治具を開閉器保持具４に装着することにより、開閉器の接続端子と動作試験治具の接触子との電気的接続を行うことができる。この状態で、開閉器保持具４の電源プラグ４９を商用交流電源に接続するとともに、双極ブレーカー４１をオン状態とすることにより、開閉器の動作試験を正確に容易に短時間で行うことができる。このため、送電停止停解装置２の試験を高効率で行うことができる。しかも、電気的接続部が外部に露出することがないので、感電や異極間短絡を生じることを確実に防止することができる。
【００６８】
また、開閉器保持具４の台座３１が平面から見て正方形に形成されているので、磁性金属板３３に、使用していない２種類の動作試験保持具を永久磁石５４ａ及び５４ｂで吸着させることができ、これにより使用していない動作試験保持具の紛失を防止することができる。
なお、上記実施形態においては、３種類の開閉器３、７０及び９０の動作試験を共通の開閉器保持具４を使用して行う場合について説明したが、これに限定されるものではなく、開閉器の種類に応じた開閉器保持具及び動作試験治具の組を用意することにより、３種類の開閉器を個別に試験することもできる。さらには、開閉器３及び７０を１組の開閉器保持具及び動作試験治具で試験し、開閉器９０を他の開閉器保持具及び動作試験治具で試験することもできる。
【００６９】
また、上記実施形態においては、開閉器保持具４をベースとして、この開閉器保持具４に動作試験治具５、８０及び１００を装着する場合について説明したが、これに限定されるものではなく、動作試験治具５、８０及び１００を台座として、これらに共通のまたは個別の開閉器保持具４を装着するようにしてもよい。
さらに、上記実施形態においては、開閉器保持具４に磁性板４３ａ及び４３ｂを配設し、動作試験治具５、８０及び１００に永久磁石５４ａ及び５４ｂを配設した場合について説明したが、これに限定されるものではなく、開閉器保持具４に永久磁石５４ａ及び５４ｂを配設し、動作試験治具５、８０及び１００に磁性板４３ａ及び４３ｂを配設するようにしてもよい。
【符号の説明】
【００７０】
１…送電停止停解装置の試験装置、２…送電停止停解装置、３…開閉器、４…開閉器保持具、５…動作試験治具、６…電力量計、７…無線通信装置、１１…絶縁ブロック体、１２Ｓａ〜１２Ｓｃ，１２Ｌａ〜１２Ｌｃ…電線接続端子、１４Ｓａ〜１４Ｓｃ，１４Ｌａ〜１４Ｌｃ…計器接続端子、１５…開閉機構、１７Ｓａ，１７Ｓｃ…開閉スイッチ、１７，１８…コネクタ、２２…アンテナ、２３…通信部、２４…開閉制御部、２５…開閉駆動部、２６…駆動電源部、２７…状態検出部、３１…台座、３２…底面板、３３…磁性金属板、３４…前面板、３５…絶縁基板、３６…開閉器装着面、３７…位置決め部材、３８…雌ねじ、４１…双極ブレーカー、４２ａ〜４２ｄ…ガイド部材、４３ａ，４３ｂ…磁性板、４４ａ，４４ｂ…ガイドピン、４５ａ，４５ｂ…電源供給端子、４６ａ，４６ｂ…外部接続端子、４７…スイッチプローブ、４８ａ，４８ｂ…マルチコンタクトジャック、４９…電源プラグ、５０…電源表示用発光ダイオード、５１…絶縁ケース体、５２…支持部材、５３…直方体状カバー、５４ａ，５４ｂ…永久磁石、５５Ｓａ〜５５Ｓｃ，５５Ｌａ〜５５Ｌｃ…第１の接触子、５６…スイッチプローブ、５８Ｓａ〜５８Ｓｃ，５８Ｌａ〜５８Ｌｃ…第２の接触子、６０ａ，６０ｂ…電源接触子、６１…プローブ、６２，６２ａ，６２ｂ…動作表示用発光ダイオード、６３…電源表示用発光ダイオード、７０…第２の開閉器、８０…第２の動作試験治具、９０…第３の開閉器、１００…第３の動作試験治具
【図１】
2011013091.tif 000003
【図２】
2011013091.tif 000004
【図３】
2011013091.tif 000005
【図４】
2011013091.tif 000006
【図５】
2011013091.tif 000007
【図６】
2011013091.tif 000008
【図７】
2011013091.tif 000009
【図８】
2011013091.tif 000010
【図９】
2011013091.tif 000011
【図１０】
2011013091.tif 000012
【図１１】
2011013091.tif 000013
【図１２】
2011013091.tif 000014
【図１３】
2011013091.tif 000015